(57)【要約】【課題】被記録媒体トレイを記録装置本体に容易且つ適切に装着でき、作成時のコストを低減することのできる記録装置を提供することにある。【解決手段】被記録媒体に記録するプリンタ本体１００ａと、着脱可能なペーパーサポート１２２とを備えたプリンタ１００であって、被記録媒体を給送する給紙ローラ４２と、ペーパーサポート１２２に載置される被記録媒体を押し上げて給紙ローラ４２に供給するホッパ４１を含むホッパユニット４０とを有し、プリンタ本体１００ａの上部ハウジング１０１とホッパユニット４０との間でペーパーサポート１２２を装着可能なことを特徴とする。このように、ペーパーサポート１２２を装着する部分をホッパユニット４０に作成する等の必要がなく、作成時のコストを低減できる。【選択図】図４
2007276214.tif 000002
【特許請求の範囲】
【請求項１】
被記録媒体に記録する記録装置本体と、前記被記録媒体を載置する、前記記録装置本体に着脱可能な被記録媒体トレイとを備えた記録装置であって、
前記被記録媒体を給送する給送部と、
前記被記録媒体トレイに載置される前記被記録媒体を押し上げて前記給送部に供給するホッパを含むホッパユニットとを有し、
前記記録装置本体のハウジングと前記ホッパユニットとの間で前記被記録媒体トレイを装着可能なことを特徴とする記録装置。
【請求項２】
前記被記録媒体トレイは、前記ハウジングと前記ホッパユニットとによって挟持されることにより装着可能であることを特徴とする請求項１に記載の記録装置。
【請求項３】
前記被記録媒体トレイの非装着時の前記ハウジングと前記ホッパユニットとの間隔は、前記被記録媒体トレイの装着時よりも狭くなっていることを特徴とする請求項２に記載の記録装置。
【請求項４】
前記被記録媒体トレイは、前記ハウジングと前記ホッパユニットとによって挟持される挟持部を有することを特徴とする請求項２又は３に記載の記録装置。
【請求項５】
前記挟持部は、前記ハウジングの前面側と、前記ホッパユニットの背面側とによって挟持されることを特徴とする請求項４に記載の記録装置。
【請求項６】
前記挟持部は、前記ハウジングの前面側の形状に沿うハウジング接触部と、前記ホッパユニットの背面側の形状に沿うホッパ接触部とを有することを特徴とする請求項５に記載の記録装置。
【請求項７】
前記ハウジング接触部と前記ホッパ接触部とは、前記被記録媒体トレイの装着方向と垂直な方向の幅が、前記被記録媒体トレイの最大幅と略同じ長さであることを特徴とする請求項６に記載の記録装置。
【発明の詳細な説明】
【技術分野】
【０００１】
本発明は、用紙等の被記録媒体に記録する記録装置本体と、被記録媒体を載置する、記録装置本体に着脱可能な被記録媒体トレイとを備えた記録装置に関する。
【背景技術】
【０００２】
記録装置の１つであるインクジェット式プリンタや熱転写式プリンタは、画像を記録する用紙が載置された給紙トレイから用紙を搬送し、記録ヘッドが搭載されたキャリッジを用紙の搬送直交方向（主走査方向）に往復移動させることにより記録し、画像が記録された用紙を排紙トレイへ搬送して載置させる。
【０００３】
このような記録装置においては、給紙トレイや排紙トレイ等の被記録媒体トレイが記録装置本体から着脱可能になっているものがある（特許文献１参照）。
【０００４】
【特許文献１】特開２００３−２０１０３４号公報
【発明の開示】
【発明が解決しようとする課題】
【０００５】
上述したような記録装置においては、被記録媒体トレイの一例としてのペーパーサポートは、例えば、用紙を押し上げて供給するホッパを有するホッパユニット自体の上端側に設けられている被接続部に接続されるようになっている。
【０００６】
このため、ホッパユニットの上端に被接続部を作成して設けておく必要がある。よって、ホッパユニットの製造時には、ホッパユニットの主となる機能部分の他に、上端に被接続部を作成する必要があり、手間、時間、費用等の各種コストがかかってしまう問題がある。
【０００７】
本発明は、上記のような種々の課題に鑑みなされたものであり、その目的は、被記録媒体トレイを記録装置本体に容易且つ適切に装着でき、作成時のコストを低減することのできる記録装置を提供することにある。
【課題を解決するための手段】
【０００８】
上記目的達成のため、本発明の記録装置では、被記録媒体に記録する記録装置本体と、前記被記録媒体を載置する、前記記録装置本体に着脱可能な被記録媒体トレイとを備えた記録装置であって、前記被記録媒体を給送する給送部と、前記被記録媒体トレイに載置される前記被記録媒体を押し上げて前記給送部に供給するホッパを含むホッパユニットとを有し、前記記録装置本体のハウジングと、前記ホッパユニットとの間で前記被記録媒体トレイを装着可能なことを特徴とする。このように、ハウジングとホッパユニットとの間で被記録媒体トレイを装着できるので、被記録媒体トレイを装着する部分をホッパユニットに作成する必要がなく、作成時のコストを低減することができる。
【０００９】
また、前記被記録媒体トレイは、前記ハウジングと前記ホッパユニットとによって挟持されることにより装着可能であることを特徴とする。これにより、被記録媒体トレイを挟持させて確実に装着させることができる。また、前記被記録媒体トレイの非装着時の前記ハウジングと前記ホッパユニットとの間隔は、前記被記録媒体トレイの装着時よりも狭くなっていることを特徴とする。これにより、被記録媒体トレイを記録装置本体に装着する際には、ハウジングとホッパユニットとの間を押し広げて装着することとなるので、ハウジングとホッパユニットとによる被記録媒体トレイを挟持する力をより強くでき、確実に装着状態を維持することができる。
【００１０】
また、前記被記録媒体トレイは、前記ハウジングと前記ホッパユニットとによって挟持される挟持部を有することを特徴とする。これにより、被記録媒体トレイは、挟持部をハウジングとホッパユニットとによって挟持させることができる。また、前記挟持部は、前記ハウジングの前面側と、前記ホッパユニットの背面側とによって挟持されることを特徴とする。これにより、挟持部をハウジング前面側と、ホッパユニット背面側とによって挟持させることができる。また、前記挟持部は、前記ハウジングの前面側の形状に沿うハウジング接触部と、前記ホッパユニットの背面側の形状に沿うホッパ接触部とを有することを特徴とする。これにより、被記録媒体トレイをハウジングとホッパユニットとに確実に接触させることができ、確実に挟持させることができる。
【００１１】
また、前記ハウジング接触部と前記ホッパ接触部とは、前記被記録媒体トレイの装着方向と垂直な方向の幅が、前記被記録媒体トレイの最大幅と略同じ長さであることを特徴とする。これにより、被記録媒体トレイが比較的広範囲にわたって、ハウジングとホッパユニットとに接触して挟持されるので確実に挟持され、装着状態を維持することができる。
【発明を実施するための最良の形態】
【００１２】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１３】
図１は、本発明の一実施形態に係る記録装置の１つであるインクジェット式プリンタの本体の外部構成全体の斜視図、図２は、このインクジェット式プリンタのペーパーサポート及びスタッカ取付時の外部構成全体の斜視図、図３は、その内部構成の概略を示す斜視図であり、図４は、その内部構成概略を示す断面側面図である。このインクジェット式プリンタ１００は、例えば名刺、カード、Ｌ判／２Ｌ判、ハガキ、六切やＪＩＳ規格のＡ６判からＡ４判までのサイズの単票紙と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。
【００１４】
インクジェット式プリンタ１００のプリンタ本体１００ａは、図１及び図２に示すように全体が幅方向に長く延びる略直方体状の上部ハウジング１０１と下部ハウジング１０２とを備えている。上部ハウジング１０１と下部ハウジング１０２とは、締結されている。
【００１５】
そして、上部ハウジング１０１の上面における図示左後方側には操作部１１０が配設され、上面における背面側には給紙部１２０が配設され、前面側には排紙部１３０が配設されている。更に、このインクジェット式プリンタ１００の内部には、図３及び図４に示すように、用紙搬送部１４０、及び記録部１５０が配設されている。
【００１６】
また、上部ハウジング１０１の上部後方から前面部にかけて開口部１０３が形成されている。この開口部１０３は、開閉自在なプリンタカバー１０４によって覆われている。ユーザは、プリンタカバー１０４を持ち上げて開口部１０３を開放することにより、インクカートリッジの交換作業や用紙搬送部１４０や記録部１５０等の内部機構のメンテナンス作業等を簡易に行うことができる。
【００１７】
操作部１１０は、図１に示すように、パワーをオン・オフするパワー系、用紙の頭出し等を操作したりインクのフラッシング等を操作したりする操作系、画像処理等を行う処理系等のボタン１１３が配設されている。操作部１１０下方のインクジェット式プリンタ１００の内部には、プリンタコントローラを構成する図示しないメイン基板が配設されていて、ＣＰＵ、ＲＯＭ、ＲＡＭ、ＡＳＩＣ等の制御素子や記憶素子、及びその他の各種回路素子が装着されている。メイン基板上端には、パワー系、操作系のボタン１１３が押された時にそれぞれ発光して、ユーザにボタン１１３のオン・オフを確認し得るように配置されたＬＥＤがボタン１１３ごとに突設されている。
【００１８】
給紙部１２０は、図１及び図２に示すように、上方に向かって矩形状に開口した給紙口１２１と、給紙する用紙を１枚もしくは複数枚サポートするペーパーサポート１２２（被記録媒体トレイ）を備えている。このペーパーサポート１２２は、図４に示すように、ホッパユニット４０と上部ハウジング１０１とより形成された差込口１２３に差し込んで取り付けることができる。従って、ユーザは、インクジェット式プリンタ１００の使用又は不使用に応じて、ペーパーサポート１２２を自由に着脱することができる。したがって、不使用時においては、ペーパーサポート１２２を離脱させておくことにより、インクジェット式プリンタ１００をコンパクトにすることができる。
【００１９】
このペーパーサポート１２２の前方下方側には、図２及び図３に示すように、用紙の両サイドエッジをガイドする固定エッジガイド２３と可動エッジガイド２４等を備えている。固定エッジガイド２３は、図示右側壁に沿う形状でホッパ４１と一体形成され、可動エッジガイド２４は、図示左側壁に沿う形状に形成されている。可動エッジガイド２４は、後壁のガイドレールに沿って図示左側壁から右側壁の方向に摺動可能なように取り付けられている。固定エッジガイド２３と可動エッジガイド２４とは、用紙のサイズが異なっても確実に用紙の両側縁をガイドすることができるので、給送を高精度に行うことができる。
【００２０】
排紙部１３０は、図２に示すように、前方に向かって矩形状に開口した排紙口１３１と、排紙される用紙を１枚もしくは複数枚スタックする機能を併せ持ったスタッカ１３２とを備えている。このスタッカ１３２は、排紙口１３１の下方のプリンタ本体に形成されたスタッカ差込口１３３に差し込んで取り付けることができる。従って、ユーザは、インクジェット式プリンタ１００の使用又は不使用に応じて、スタッカ１３２を自由に着脱することができる。したがって、不使用時においては、スタッカ１３２を離脱させておくことにより、インクジェット式プリンタ１００をコンパクトにすることができる。更に、記録後の用紙は常に前面側から排紙されるので、ユーザは用紙を容易に取り出すことができる。
【００２１】
用紙搬送部１４０は、図４に示すように、給紙部１２０から排紙部１３０に掛けて配設されており、自動給紙機構１４１、搬送機構１４２、排紙機構１４３を備えている。自動給紙機構１４１は、ペーパーサポート１２２にサポートされている用紙を給送するために持ち上げるホッパ４１を含むホッパユニット４０、このホッパ４１により持ち上げられた用紙を取り出す給送部の一例としての給紙ローラ４２、この給紙ローラ４２により重送された用紙を１枚のみに分離するリタードローラ４３、このリタードローラ４３により分離された残りの用紙をホッパ４１へ戻す紙戻しレバー４４等を備えている。
【００２２】
ホッパユニット４０において、ホッパ４１は、用紙が載置可能な平板状に形成されて後壁と略平行に配設されており、下端が給紙ローラ４２の近傍に位置し、上端が後壁頂部に近接して位置するように配設されている。そして、ホッパ４１は、後壁に一端が取り付けられた図示しない圧縮バネの他端が下端側の裏面に取り付けられており、この圧縮バネの伸縮により上端側を中心に下端側が旋回するように配設されている。
【００２３】
給紙ローラ４２は、断面の一部が切り欠かれたＤ字状に形成されてホッパ４１の下端近傍に配設されており、間欠的に回転してホッパ４１により持ち上げられた用紙を摩擦給送するようになっている。リタードローラ４３は、給紙ローラ４２と当接可能に配設されており、給紙ローラ４２により用紙が重送されたときに最上層の用紙のみを下層の用紙から摩擦分離するようになっている。紙戻しレバー４４は、爪状に形成されて給紙ローラ４２の近傍に配設されており、リタードローラ４３により分離された下層の用紙を爪に掛けてホッパ４１へ戻すようになっている。
【００２４】
搬送機構１４２は、記録動作に同期して副走査方向に用紙を送る紙送りローラ４５とその従動ローラ４６等が配設されている。紙送りローラ４５は、プラテン１５３の搬送上流側に配設されており、給紙ローラ４２により給送される用紙を従動ローラ４６と共に挟持してプラテン１５３へ送り出すようになっている。
【００２５】
排紙機構１４３は、排紙ローラ４７と第１ギザローラ４８ａ及び第２ギザローラ４８ｂ等を備えている。第１ギザローラ４８ａは、プラテン１５３の搬送下流側に配設され、第２ギザローラ４８ｂと排紙ローラ４７は、第１ギザローラ４８ａの搬送下流側に対向配設されており、プラテン１５３を通過してくる用紙を先ず第１ギザローラ４８ａで排送し、続いて第２ギザローラ４８ｂと排紙ローラ４７で挟持してスタッカ１３２上へ排紙するようになっている。尚、第１ギザローラ４８ａ及び第２ギザローラ４８ｂは、図示しない同一の保持部材により保持されている。
【００２６】
記録部１５０には、記録動作に同期して主走査方向に移動するキャリッジ１５１、記録動作に同期してインクを吐出する記録ヘッド１５２、記録時の用紙を平坦に保持するプラテン１５３等が配設されている。キャリッジ１５１は、プラテン１５３の上方でキャリッジガイド１５４に支持されてキャリッジベルト１５５に連結されており、キャリッジモータ１５６によってキャリッジベルト１５５が作動すると、キャリッジベルト１５５の動きに連行され、キャリッジガイド１５４に案内されて往復移動するようになっている。このキャリッジ１５１の内部には、複数のインクカートリッジが抜き差し可能なカートリッジ収納部が形成されている。
【００２７】
記録ヘッド１５２は、プラテン１５３と所定の間隔が空くようにしてキャリッジ１５１に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。次に、本発明の特徴的な部分であるペーパーサポート１２２及びペーパーサポート１２２の装着について図を参照して説明する。
【００２８】
図５は、ペーパーサポート１２２の外観構成の斜視図であり、図６は、インクジェット式プリンタ１００のプリンタ本体１００ａの背面側からの斜視図であり、図７は、ペーパーサポート１２２の装着状態を示す図である。ペーパーサポート１２２は、図５に示すように、ホッパユニット４０と上部ハウジング１０１との間で挟持される挟持部１２２ａを有している。挟持部１２２ａは、装着時にホッパユニット４０の背面側と接触させるホッパ接触部１２２ｂと、装着時に上部ハウジング１０１の前面側と接触させるハウジング接触部１２２ｃと、ホッパユニット４０と上部ハウジング１０１とにより形成される図６に示す差込口１２３内に差し込むための差込部１２２ｄとを有している。なお、本実施形態では、図６に示すホッパユニット４０の背面と上部ハウジング１０１の前面との間隔は、ペーパーサポート１２２が装着されていない時（非装着時）には、ペーパーサポート１２２が装着された時（装着時）よりも狭い間隔となるように構成されている。この構成により、ホッパユニット４０の背面と上部ハウジング１０１の前面との間にペーパーサポート１２２が差し入れられると、ぺーパーサポート１２２は、十分な力によって挟持されて支持される。
【００２９】
ホッパ接触部１２２ｂは、図５に示すようにペーパーサポート１２２の差込方向と垂直な方向（本実施形態では、主走査方向と同じ方向）の幅が、当該ペーパーサポート１２２の同方向の最大幅と略同じ長さに形成され、ホッパユニット４０の背面側と接触する側の面がホッパユニット４０の背面に沿うような形状で形成されている。ハウジング接触部１２２ｃは、ペーパーサポート１２２の差込方向と垂直な方向の幅が、当該ペーパーサポート１２２の同方向の最大幅と略同じ長さに形成され、上部ハウジング１０１の前面側と接触する側の面が上部ハウジング１０１の前面に沿うような形状で形成されている。差込部１２２ｄは、櫛状に形成されており、主走査方向における両端には、副走査方向に延びた形状であって、主走査方向に沿って外側に突出した形状である係止部が設けられている。
【００３０】
このペーパーサポート１２２によると、図７に示すように、インクジェット式プリンタ１００のプリンタ本体１００ａのホッパユニット４０と上部ハウジング１０１との間において挟持させ装着させることができる。すなわち、ペーパーサポート１２２を、ホッパユニット４０の背面と上部ハウジング１０１の前面との間に差し入れると、図７に示すように、差込部１２２ｄが差込口１２３内に差し込まれ、更に、ホッパ接触部１２２ｂの前面（図示左側の面）がホッパユニット４０の背面と接触し、ハウジング接触部１２２ｃの背面（図示右側の面）が上部ハウジング１０１の前面と接触することとなり、ペーパーサポート１２２が挟持された状態でインクジェット式プリンタ１００のプリンタ本体１００ａに装着されることとなる。
【００３１】
ここで、ホッパ接触部１２２ｂの前面がホッパユニット４０の背面に沿う形状となっているために、ホッパ接触部１２２ｂは、ホッパユニット４０の背面に効果的に接触することができる。また、ハウジング接触部１２２ｃの背面が上部ハウジング１０１の前面に沿う形状となっているために、ハウジング接触部１２２ｃは、上部ハウジング１０１の前面に効果的に接触することができる。したがって、ペーパーサポート１２２を適切に挟持させて装着させることができる。
【００３２】
このように、本実施形態によると、ホッパユニット等の部材に形成した被接続部によらず、部材間に形成される空間にペーパーサポート１２２を適切に装着することができる。このため、ホッパユニット等に被接続部を作成する必要がなく、作成時におけるコストを低減することができる。
【００３３】
尚、上述の実施形態では、ペーパーサポート１２２をホッパユニット４０と上部ハウジング１０１との間に挟持するようにしてプリンタ本体１００ａに装着するようにしていたが、本発明はこれに限られず、例えば、ホッパユニット４０と上部ハウジング１０１との間に載置するようにしてプリンタ本体１００ａに装着するようにしてもよい。
【産業上の利用可能性】
【００３４】
被記録媒体トレイを備えた記録装置であれば、例えばファクシミリ装置、コピー装置等であっても適用可能である。
【図面の簡単な説明】
【００３５】
【図１】本発明の一実施の形態に係る記録装置の１つであるインクジェット式プリンタの本体の外観構成全体の斜視図である。
【図２】図１のプリンタのペーパーサポート及びスタッカ取付時の外部構成全体の斜視図である。
【図３】図１のプリンタの内部構成の概略を示す斜視図である。
【図４】図１のプリンタの内部構成の概略を示す断面側面図である。
【図５】図１のプリンタのペーパーサポートの外観構成の斜視図である。
【図６】図１のプリンタの背面側からの斜視図である。
【図７】図１のプリンタのペーパーサポートの装着状態を詳細に示す断面斜視図である。
【符号の説明】
【００３６】
４０  ホッパユニット、４１  ホッパ、１００  インクジェット式プリンタ、１００ａ  プリンタ本体、１０１  上部ハウジング、１０２  下部ハウジング、１１０  操作部、１２０  給紙部、１２２  ペーパーサポート、１２２ａ  挟持部、１２２ｂ  ホッパ接触部、１２２ｃ  ハウジング接触部、１２２ｄ  差込部、１２３  差込口、１３０  排紙部、１３２  スタッカ、１４０  用紙搬送部、１４０  記録部、１５２  記録ヘッド、１５３  プラテン。
【図１】
2007276214.tif 000003
【図２】
2007276214.tif 000004
【図３】
2007276214.tif 000005
【図４】
2007276214.tif 000006
【図５】
2007276214.tif 000007
【図６】
2007276214.tif 000008
【図７】
2007276214.tif 000009